(57)【要約】【課題】輝度を向上させることが可能なプラズマディスプレイパネルを提供すること。【解決手段】複数のピクセルを含み，画像を表示するプラズマディスプレイパネルにおいて：互いに離隔して対向するように配置される第１基板１１０及び第２基板１２０と；上記第１基板１１０と第２基板１２０との間に配置され，上記第１基板１１０と上記第２基板１２０とともに赤色，緑色，青色，白色サブピクセル１７１Ｒ，１７１Ｇ，１７１Ｂ，１７１Ｗに対応する放電セル１３０Ｒ、１３０Ｇ，１３０Ｂ，１３０Ｗを区画する第１隔壁１１８と；上記放電セルに配置され，放電を引き起こす第１放電電極１１３及び第２放電電極１１４と；上記放電セル内に配置される赤色，緑色，青色，白色発光蛍光体層１２６Ｒ、１２６Ｇ，１２６Ｂ，１２６Ｗと；を備える。【選択図】図４
2006196440.tif 000002
【特許請求の範囲】
【請求項１】
複数のピクセルを含み，画像を表示するプラズマディスプレイパネルにおいて：
前記ピクセルは，白色サブピクセルを備え，
前記白色サブピクセルは，白色発光蛍光体層を有することを備えることを特徴とする，プラズマディスプレイパネル。
【請求項２】
前記白色発光蛍光体層は，
青色発光蛍光体と，
黄色発光蛍光体と，
を含むことを特徴とする，請求項１に記載のプラズマディスプレイパネル。
【請求項３】
前記青色発光蛍光体は，ＢＡＭ系蛍光体またはＣＭＳ系蛍光体を含むことを特徴とする，請求項２に記載のプラズマディスプレイパネル。
【請求項４】
前記黄色発光蛍光体は，ＹＡＧ系蛍光体またはＳｒ，ＢａＳｉＯ４系蛍光体を含むことを特徴とする，請求項２に記載のプラズマディスプレイパネル。
【請求項５】
前記ピクセルは，白色サブピクセル，赤色サブピクセル，緑色サブピクセル，青色サブピクセルを含むことを特徴とする，請求項１〜４のいずれかに記載のプラズマディスプレイパネル。
【請求項６】
前記白色サブピクセル，前記赤色サブピクセル，前記緑色サブピクセル，前記青色サブピクセルは，正方形の形状を有することを特徴とする，請求項１〜５のいずれかに記載のプラズマディスプレイパネル。
【請求項７】
前記ピクセルは，正方形の形状を有することを特徴とする，請求項１〜６のいずれかに記載のプラズマディスプレイパネル。
【請求項８】
複数のピクセルを含み，画像を表示するプラズマディスプレイパネルにおいて：
互いに離隔して対向するように配置される第１基板及び第２基板と；
前記第１基板と前記第２基板との間に配置され，前記第１基板と前記第２基板とともに赤色，緑色，青色，白色サブピクセルに対応する放電セルを区画する第１隔壁と；
前記放電セルに配置され，放電を引き起こす第１放電電極及び第２放電電極と；
前記放電セル内に配置される赤色，緑色，青色，白色発光蛍光体層と；
を備えることを特徴とする，プラズマディスプレイパネル。
【請求項９】
前記白色発光蛍光体層は，青色発光蛍光体及び黄色発光蛍光体を含むことを特徴とする，請求項８に記載のプラズマディスプレイパネル。
【請求項１０】
前記青色発光蛍光体は，ＢＡＭ系蛍光体またはＣＭＳ系蛍光体を含むことを特徴とする，請求項９に記載のプラズマディスプレイパネル。
【請求項１１】
前記黄色発光蛍光体は，ＹＡＧ系蛍光体またはＳｒ，ＢａＳｉＯ４系蛍光体を含むことを特徴とする，請求項９に記載のプラズマディスプレイパネル。
【請求項１２】
前記ピクセルは，白色サブピクセル，赤色サブピクセル，緑色サブピクセル，青色サブピクセルを含むことを特徴とする，請求項８〜１１のいずれかに記載のプラズマディスプレイパネル。
【請求項１３】
前記白色サブピクセル，前記赤色サブピクセル，前記緑色サブピクセル，前記青色サブピクセルは正方形の形状を有することを特徴とする，請求項８〜１２のいずれかに記載のプラズマディスプレイパネル。
【請求項１４】
前記ピクセルは正方形の形状を有することを特徴とする，請求項８〜１３のいずれかに記載のプラズマディスプレイパネル。
【請求項１５】
前記第１放電電極及び前記第２放電電極は，前記放電セルを取り囲んで伸びることを特徴とする，請求項８〜１４のいずれかに記載のプラズマディスプレイパネル。
【請求項１６】
前記第１放電電極と前記第２放電電極は，梯子形状を有することを特徴とする，請求項１５に記載のプラズマディスプレイパネル。
【請求項１７】
前記第１放電電極及び前記第２放電電極は，前記第１隔壁内に配置されることを特徴とする，請求項８〜１６のいずれかに記載のプラズマディスプレイパネル。
【請求項１８】
前記第１隔壁は，誘電体であることを特徴とする，請求項８〜１７のいずれかに記載のプラズマディスプレイパネル。
【請求項１９】
少なくとも前記第１隔壁の側面に隣接して配置される保護層をさらに含むことを特徴とする，請求項８〜１８のいずれかに記載のプラズマディスプレイパネル。
【請求項２０】
前記第１放電電極は一方向に伸び，前記放電セルで前記第２放電電極は前記第１放電電極と交差するように伸びることを特徴とする，請求項８〜１９のいずれかに記載のプラズマディスプレイパネル。
【請求項２１】
前記第１放電電極及び前記第２放電電極は一方向に伸び，
前記放電セルで前記第１放電電極及び第２放電電極と交差するように伸びるアドレス電極をさらに含むことを特徴とする，請求項８に記載のプラズマディスプレイパネル。
【請求項２２】
前記アドレス電極は誘電体層に覆われることを特徴とする，請求項２１に記載のプラズマディスプレイパネル。
【請求項２３】
前記第１隔壁と前記第２基板との間に配置される第２隔壁をさらに含むことを特徴とする，請求項８〜２２のいずれかに記載のプラズマディスプレイパネル。
【請求項２４】
少なくとも前記第２隔壁の側面に蛍光体層が配置されることを特徴とする，請求項２３に記載のプラズマディスプレイパネル。
【請求項２５】
前記第１隔壁は，四角形の横断面を有する複数の放電セルを区画することを特徴とする，請求項８〜２４のいずれかに記載のプラズマディスプレイパネル。
【発明の詳細な説明】
【技術分野】
【０００１】
本発明は，プラズマディスプレイパネルに係り，より詳しくは，輝度を向上させることが可能なプラズマディスプレイパネルに関するものである。
【背景技術】
【０００２】
図１は，従来の一般的な交流型３電極面放電プラズマディスプレイパネル５を分解して説明する斜視図である。
【０００３】
図１に示すように，プラズマディスプレイパネル５は相互に対向する背面基板１０と前面基板２０を備える。背面基板１０の前面には複数のアドレス電極１１が配列されており，このアドレス電極１１は第１誘電体層１２によって覆われている。そして，第１誘電体層１２の前面には隔壁１３がマトリックス形状の放電セル１４を区画している。この隔壁１３によって区画された放電セル１４内には，蛍光体層１５が所定厚さに塗布される。前面基板２０は可視光が透過可能な透明基板であり，主にガラスで作られ，隔壁１３が設けられた背面基板１０に結合される。前面基板２０の背面には，アドレス電極１１と交差する維持電極対３０が形成されている。この維持電極対３０のなかで一維持電極はＸ電極２１であり，他の維持電極はＹ電極２２である。このような維持電極対３０は透明な第２誘電体層２３によって覆われており，第２誘電体層２３の背面には保護層２４が形成されている。従来の単位ピクセルは，赤色，緑色，青色のサブピクセルで構成される。
【０００４】
最近，上記のプラズマディスプレイパネルの輝度を向上させようとする研究が多数進行している。その研究の一つは，放電ガス中のＸｅの割合を２０％まで上げようとするものである。
【発明の開示】
【発明が解決しようとする課題】
【０００５】
しかし，従来のプラズマディスプレイによれば，３電極対向放電構造においてもＸｅの割合が増加されるにしたがい，駆動電圧は上昇し，放電応答速度が遅くなる問題点がある。また，高い駆動電圧では放電電流が増加してパネルの耐久性を減少させるという問題がある。
【０００６】
そこで，本発明は，このような問題に鑑みてなされたもので，その目的は，輝度を向上させることが可能な，新規かつ改良されたプラズマディスプレイを提供することにある。
【課題を解決するための手段】
【０００７】
上記課題を解決するために，本発明のある観点によれば，複数のピクセルを含み，画像を表示するプラズマディスプレイパネルにおいて：上記ピクセルは，白色サブピクセルを備え，前記白色サブピクセルは，白色発光蛍光体層を有することを特徴とする，プラズマディスプレイパネルが提供される。
【０００８】
また，上記白色発光蛍光体層は，青色発光蛍光体と，黄色発光蛍光体と，を含んでもよい。
【０００９】
また，上記青色発光蛍光体は，ＢＡＭ系蛍光体またはＣＭＳ系蛍光体を含んでもよい。
【００１０】
また，上記黄色発光蛍光体は，ＹＡＧ系蛍光体またはＳｒ，ＢａＳｉＯ４系蛍光体を含んでもよい。
【００１１】
また，上記ピクセルは，白色サブピクセル，赤色サブピクセル，緑色サブピクセル，青色サブピクセルを含んでもよい。
【００１２】
また，上記白色サブピクセル，上記赤色サブピクセル，上記緑色サブピクセル，上記青色サブピクセルは，正方形の形状を有してもよい。
【００１３】
また，上記ピクセルは，正方形の形状を有してもよい。
【００１４】
上記課題を解決するために，本発明の別の観点によれば，複数のピクセルを含み，画像を表示するプラズマディスプレイパネルにおいて：互いに離隔して対向するように配置される第１基板及び第２基板と；上記第１基板と第２基板との間に配置され，上記第１基板と上記第２基板とともに赤色，緑色，青色，白色サブピクセルに対応する放電セルを区画する第１隔壁と；上記放電セルに配置され，放電を引き起こす第１放電電極及び第２放電電極と；上記放電セル内に配置される赤色，緑色，青色，白色発光蛍光体層と；を備えることを特徴とする，プラズマディスプレイパネルが提供される。
【００１５】
また，上記白色発光蛍光体層は，青色発光蛍光体及び黄色発光蛍光体を含んでもよい。
【００１６】
また，上記青色発光蛍光体は，ＢＡＭ系蛍光体またはＣＭＳ系蛍光体を含んでもよい。
【００１７】
また，上記黄色発光蛍光体は，ＹＡＧ系蛍光体またはＳｒ，ＢａＳｉＯ４系蛍光体を含んでもよい。
【００１８】
また，上記ピクセルは，白色サブピクセル，赤色サブピクセル，緑色サブピクセル，青色サブピクセルを含んでもよい。
【００１９】
また，上記白色サブピクセル，上記赤色サブピクセル，上記緑色サブピクセル，上記青色サブピクセルは正方形の形状を有してもよい。
【００２０】
また，上記ピクセルは正方形の形状を有してもよい。
【００２１】
また，上記第１放電電極及び上記第２放電電極は，上記放電セルを取り囲んで伸びてもよい。
【００２２】
また，上記第１放電電極と上記第２放電電極は，梯子形状を有してもよい。
【００２３】
また，上記第１放電電極及び上記第２放電電極は，上記第１隔壁内に配置されてもよい。
【００２４】
また，上記第１隔壁は，誘電体であってもよい。
【００２５】
また，少なくとも上記第１隔壁の側面に隣接して配置される保護層をさらに含んでもよい。
【００２６】
また，上記第１放電電極は一方向に伸び，上記放電セルで上記第２放電電極は上記第１放電電極と交差するように伸びてもよい。
【００２７】
また，上記第１放電電極及び上記第２放電電極は一方向に伸び，上記放電セルで上記第１放電電極及び上記第２放電電極と交差するように伸びるアドレス電極をさらに含んでもよい。
【００２８】
また，上記アドレス電極は誘電体層に覆われてもよい。
【００２９】
また，上記第１隔壁と上記第２基板との間に配置される第２隔壁をさらに含んでもよい。
【００３０】
また，少なくとも上記第２隔壁の側面に蛍光体層が配置されてもよい。
【００３１】
また，上記第１隔壁は，四角形の横断面を有する複数の放電セルを区画してもよい。
【発明の効果】
【００３２】
以上説明したように，本発明によれば，単位ピクセルが白色サブピクセルを別に備えるため，放電ガス内のＸｅの割合を増加させることなく，輝度及び発光効率を増加することができる。
【発明を実施するための最良の形態】
【００３３】
以下に，添付した図面を参照しながら，本発明の好適な実施の形態について詳細に説明する。なお，本明細書及び図面において，実質的に同一の機能構成を有する発明特定事項については，同一の符号を付することにより重複説明を省略する。
【００３４】
（第１実施形態）
図２〜図６に基づいて，本発明の第１実施形態によるプラズマディスプレイパネル１００を詳細に説明する。
【００３５】
プラズマディスプレイパネル１００は，第１基板１１０，第２基板１２０，第１隔壁１１８，第１放電電極１１３，第２放電電極１１４，第２隔壁１２８，アドレス電極１２２，蛍光体層１２６，及び放電ガスを備える。
【００３６】
第２基板１２０は，第１基板１１０に対して平行に配置される。本実施形態において，プラズマディスプレイパネル１００で生成された可視光が前方（ｚ方向）に投射されるため，第１基板１１０は透明なガラスを用いて製造されることが望ましい。しかし，本発明はこれに限定されなく，可視光が第２基板１２０を通じて投射されるか，または第１基板１１０及び第２基板１２０を通じて同時に投射されることができる。
【００３７】
放電セル１３０の前方には，従来のプラズマディスプレイパネル５の前面基板２０の背面にある維持電極対３０，この維持電極対を覆う第１誘電体層２３などが存在しないため，後述する蛍光体層１２６から放出された可視光線の量の８０％以上が第１基板１１０を通過することができることになる。
【００３８】
第２基板１２０に対向する第１基板１１０上には，第１基板１１０及び第２基板２２１とともに放電セル１３０を限定する第１隔壁１１８が配置される。図２には上記放電セル１３０がマトリックス形態に配置されたものを示したが，これに限定されるものではなく，デルタ形態に配置されることもできる。また，図２には，放電セル１３０の横断面が四角形のものを示したが，これに限定されるものではなく，三角形，五角形などの多角形，または円形，楕円形などであることができる。
【００３９】
第１隔壁１１８内には，放電セル１３０を取り囲む第１放電電極１１３と第２放電電極１１４が第１基板１１０に垂直方向（ｚ方向）に互いに離隔して配置される。第１放電電極１１３と第２放電電極１１４は維持放電のための電極であり，この電極の間でプラズマディスプレイパネルの画像を具現するための維持放電が起こる。第１放電電極１１３と第２放電電極１１４はアルミニウム，銅などのような導電性金属で形成されることができ，後述するアドレス電極２２２も導電性材質で形成されることができる。
【００４０】
図２に示す本実施形態によるプラズマディスプレイパネルの場合には，第１放電電極１１３，第２放電電極１１４，及びアドレス電極２２２が図３に示すように配置され，第１放電電極１１３と第２放電電極１１４は梯子形状を有する。各第１放電電極１１３と第２放電電極１１４は一対を成して一方向（ｘ方向）に互いに平行に伸び，アドレス電極２２２はこれらと交差する方向（ｙ方向）に伸びる。このような電極配置構造は，第１放電電極１１３と第２放電電極１１４のうちいずれかの電極とアドレス電極１２２との間にアドレス放電が起こり，第１放電電極１１３と第２放電電極１１４との間に維持放電が起るようにするためのものである。
【００４１】
アドレス維持と維持放電によって駆動される３電極プラズマディスプレイパネルの一放電セルには，通常Ｘ電極とＹ電極と呼ばれる二つの放電電極（一つの放電電極対）と一つのアドレス電極が配置される。アドレス放電は上記Ｙ電極とアドレス電極との間で起る放電であるが，本実施形態の場合のようにアドレス電極１２２が第１放電電極１１３と第２放電電極１１４の後方（−ｚ方向）に配置された場合には，アドレス電圧を減少させるために，距離が近い第２放電電極１１４がＹ電極であることが望ましい。したがって，第２放電電極１１４がＹ電極の場合には，第１放電電極１１３がＸ電極になる。
【００４２】
第１隔壁１１８は，維持放電時に隣接した第１放電電極１１３と第２放電電極１１４が直接通電されることと，荷電粒子が第１，２放電電極１１３，１１４に衝突することによりこれらを損傷させることを防止することができる誘電体から形成されることが望ましい。このような誘電体としては，ＰｂＯ，Ｂ２Ｏ３，ＳｉＯ２などがある。
【００４３】
図２に示すように，少なくとも上記第１隔壁の側面１１８ａは保護層１１９によって覆われることが望ましい。上記保護層１１９は例えばＭｇＯの蒸着によって形成されてもよい。また，保護層１１９の蒸着時に第１隔壁端部１１８ｂと放電セル１３０に面する第１基板１１０上にも保護膜が形成されることもできる。
【００４４】
本実施形態によるプラズマディスプレイパネルの放電セル１３０内では，維持放電セル１３０の前方部（第１基板１１０に近い部分）でだけ起こるので，維持時に発生可能な荷電粒子による蛍光体のイオンスパッタリングが低減し，よって蛍光体層１２６の劣化による永久残像の発生が低減するという利点がある。
【００４５】
図２及び図３には，アドレス電極１２２が第１基板１１０に対向する第２基板１２０上に配置されたものとして示されているが，アドレス電極１２２の位置がこれに限定されるものではない。例えば，アドレス電極１２２は，上記第１隔壁１１８内に放電セル１３０を取り囲むように配置されることができる。この場合，アドレス電極１２２が前述した第１放電電極１１３及び第２放電電極１１４と類似した形状（梯子形状）を有するが，第１放電電極１１３及び第２放電電極１１４と交差する方向に伸びるという点で相違する。また，この場合，アドレス電極１２２は第１放電電極１１３と第１基板１１０との間，第１放電電極１１３と第２放電電極１１４との間，または第２放電電極１１４と第２隔壁１２８との間に配置されることができる。アドレス電極１２２がどこに配置されても，第２放電電極１１４及び第１放電電極１１３とは離隔及び絶縁される。
【００４６】
本実施形態によるプラズマディスプレイパネル１００は，アドレス電極１２２を覆う誘電体層１２５をさらに含むことが望ましい。これは，放電時に荷電粒子がアドレス電極１２２に衝突してアドレス電極１２２を損傷させることを防止するためである。誘電体層１２５は荷電粒子を誘導することができる誘電体で形成されなければならない。このような誘電体としては，ＰｂＯ，Ｂ２Ｏ３，ＳｉＯ２などがある。
【００４７】
また，本実施形態によるプラズマディスプレイパネル１００は，第１隔壁１１８と誘電体層１２５との間に配置される第２隔壁１２８をさらに含むことができる。第２隔壁１２８は蛍光体層が配置される領域を区画する。また，第１隔壁１１８と同様に，第２隔壁１２８も四角形の横断面を有する空間をマトリックス形態に配列させる格子形状を有する。
【００４８】
図３，４を参照すれば，放電セル１３０は，蛍光体層１２６で覆われる。より詳細に説明すれば，赤色１２６Ｒ，緑色１２６Ｇ，青色１２６Ｂ，白色１２６Ｗの発光蛍光体層が所定厚さに塗布される。この時，赤色発光蛍光体層１２６Ｒが配置される赤色放電セル１３０Ｒは赤色サブピクセル１７１Ｒに対応し，緑色発光蛍光体層１２６Ｇが配置される緑色放電セル１３０Ｇは緑色サブピクセル１７１Ｇに対応し，青色発光蛍光体層１２６Ｂが配置される青色放電セル１３０Ｂは青色サブピクセル１７１Ｂに対応し，そして白色発光蛍光体層１２６Ｗが配置される白色放電セル１３０Ｗは白色サブピクセル１７１Ｗに対応する。
【００４９】
蛍光体層１２６は，第２隔壁１２８の側面と放電セル１３０に対向する誘電体層１２５上に塗布されるが，蛍光体層１２６が配置される位置はこれに限定されず，放電セル１３０内の多様な位置に配置されることができる。
【００５０】
図４に示すように，一ピクセル１７０は隣接する四つのサブピクセル１７１Ｒ，１７１Ｇ，１７１Ｂ，１７１Ｗを含み，ピクセル１７０は長方形の形状を有する。ここで，ピクセルの中心を基準として赤色，青色，白色，緑色のサブピクセルが円周方向に沿って順次配置されたものとして示されているが，配置順序はこれに限定されない。
【００５１】
本実施形態において，赤色発光蛍光体層１２６ＲはＹ（Ｖ，Ｐ）Ｏ４：Ｅｕなどのような蛍光体を含み，緑色発光蛍光体層１２６ＧはＺｎ２ＳｉＯ４：Ｍｎなどのような蛍光体を含み，青色発光蛍光体層１２６ＢはＢＡＭ系蛍光体，ＣＭＳ系蛍光体などのような蛍光体を含む。ここで，ＢＡＭ系蛍光体はＢａＭｇＡｌ１４Ｏ２３：Ｅｕなどのように，Ｂａ，Ｍｇ，Ａｌを含む蛍光体を意味し，ＣＭＳ系蛍光体はＣａＭｇＳｉ２Ｏ８：Ｅｕ２＋などのように，Ｃａ，Ｍａ，シリカを含む蛍光体を意味する。
【００５２】
プラズマ放電によって赤色発光蛍光体層１２６Ｒに真空紫外線ＶＵＶが入射する場合，赤色光が生成され，緑色発光蛍光体層１２６Ｇに真空紫外線が入射する場合，緑色光が生成され，青色発光蛍光体層１２６Ｂに真空紫外線が入射する場合，青色光が生成される。
【００５３】
白色発光蛍光体層１２６Ｗは青色発光蛍光体１２６ＷＢ及び黄色発光蛍光体１２６ＷＹを含む。青色発光蛍光体１２６ＷＢと黄色発光蛍光体１２６ＷＹは互いに配置位置を異にして白色放電セルに配置されることができるが，青色発光蛍光体と黄色発光蛍光体が互いに混合された状態に配置されることもできる。ただ，青色発光蛍光体と黄色発光蛍光体の配置方法は前述したものに限定されない。
【００５４】
青色発光蛍光体１２６ＷＢは，真空紫外線が入射する場合，青色光を生成する。このような蛍光体はＢＡＭ系蛍光体またはＣＭＳ系蛍光体を含む。黄色発光蛍光体１２６ＷＹは黄色光を生成するための蛍光体であり，ＹＡＧ系蛍光体またはＳｒ，ＢａＳｉＯ４系蛍光体を含むことが望ましい。ＹＡＧ系蛍光体はイットリウム，アルミニウムの外にガドリニウムを含み，Ｓｒ，ＢａＳｉＯ４系蛍光体はＳｒ，Ｂａ，ＳｉＯ４を含む。
【００５５】
ＹＡＧ系蛍光体またはＳｒ，ＢａＳｉＯ４系蛍光体（たとえば，ＳｒＢａＳｉＯ４：Ｅｕ）は約４５０ｎｍの波長を有する光が入射する場合，黄色光を生成する。
【００５６】
図５を参照して，白色放電セル１３０Ｗから白色光が生成されるメカニズムを説明すると次のようである。図５には，説明の便宜上，青色発光蛍光体１２６ＷＢとしてＢＡＭ系蛍光体が示され，黄色発光蛍光体１２６ＷＹとしてＹＡＧ系蛍光体が示されているが，これに限定されない。まず，プラズマ放電によって真空紫外線が発生され，青色発光蛍光体に入射すれば青色発光蛍光体１２６ＷＢを励起させ，この励起された青色発光蛍光体１２６ＷＢのエネルギー準位が低くなりながら約４５０ｎｍの波長を有する青色光が生成される。このように生成された青色光の一部は黄色発光蛍光体に入射し，上記４５０ｎｍの波長を有する光は黄色発光蛍光体１２６ＷＹを励起させる。励起された黄色発光蛍光体１２６ＷＹのエネルギー準位が低くなりながら約５６０ｎｍの波長を有する黄色光を生成する。上記のように生成された青色光と黄色光は互いに補色関係を有するので，白色放電セル１３０Ｗ内で混合して外部に出射されるとき，白色光を有することになる。
【００５７】
図６は白色サブピクセル１７１Ｗから発生されるスペクトルを測定した結果を示す。ここでは，黄色発光蛍光体を異にして測定された結果を示す。黄色発光蛍光体はＹＡＧ系蛍光体，Ｓｒ，ＢａＳｉＯ４系蛍光体のなかで，Ｓｒ１．０６Ｂａ０．９ＳｉＯ４：Ｅｕ０．０４，Ｓｒ１．４６Ｂａ０．５ＳｉＯ４：Ｅｕ０．０４，Ｓｒ１．６４Ｂａ０．３２ＳｉＯ４：Ｅｕ０．０４に対して測定された。図示のように，約４５０ｎｍの波長を有する青色光と，約５６０ｎｍの波長を有する黄色光の相対光発光強度が最大であることが分かり，このように相対光発光強度が大きい青色光と黄色光が混合して白色光を帯びることになる。
【００５８】
放電セル１３０内には，Ｎｅ，Ｘｅまたはこれらを混合した放電ガスが注入される。
【００５９】
上記のような構成を有するプラズマディスプレイパネルの動作を簡単に説明する。
【００６０】
アドレス電極１２２と第２放電電極１１４との間にアドレス電圧が印加されることによりアドレス放電が起こり，このアドレス放電の結果として維持放電が起こる放電セル１３０が選択される。その後，上記選択された放電セル１３０の第１放電電極１１３と第２放電電極１１４との間に放電維持電圧が印加されれば，第１放電電極１１３と第２放電電極１１４に積もっていた壁電荷の移動により維持放電を引き起こし，この維持放電時に励起された放電ガスのエネルギー準位が低くなりながら真空紫外線が放出される。そして，この真空紫外線が放電セル１３０内に塗布された蛍光体層１２６を励起させ，この励起された蛍光体層１２６のエネルギー準位が低くなりながら可視光が放出され，この可視光が前面基板１１０を通過して視聴者が認識することができる画像を形成することになる。
【００６１】
（第２実施形態）
以下では，図７〜図９に基づいて，本発明の第２実施形態によるプラズマディスプレイパネル２００を説明する。ここでは，第１実施形態と相違した事項を中心として説明する。
【００６２】
本実施形態によるプラズマディスプレイパネル２００が第１実施形態と違う点は，別途のアドレス電極が配置されないということである。また，第１放電電極２１３と第２放電電極２１４が放電セル２３０で互いに交差する方向に伸びるということである。これをより詳細に説明すれば，第１放電電極２１３は一方向（ｘ方向）に沿って伸び，第２放電電極２１４は第１放電電極２１３と交差する方向（ｙ方向）に伸びる。このように交差する第１放電電極２１３と第２放電電極２１４によって，各放電セル２３０でアドレス放電及び維持放電が発生する。したがって，第１放電電極２１３または第２放電電極２１４のいずれか一つはアドレス電極の機能をし，他の一つは走査電極の機能をする。ただ，第１放電電極２１３及び第２放電電極２１４は第１実施形態と同様に梯子形状を有し，放電セル２３０を取り囲みながら伸びる。また，第１放電電極２１３及び第２放電電極２１４の材料的特性も前述した実施形態と同一である。
【００６３】
そのほかの第１基板２１０，第２基板２２０，第１隔壁２１８，第２隔壁２２８，保護層２１９，及び放電ガスの構造及び作用に関する事項は，前述した第１実施形態と対応する構成要素と同一または類似するのでここでは省略する。
【００６４】
また，赤色，緑色，青色，白色発光蛍光体層２２６Ｒ，２２６Ｇ，２２６Ｂ，２２６Ｗがそれぞれ配置され，赤色，緑色，青色，白色サブピクセル２７１Ｒ，２７１Ｇ，２７１Ｂ，２７１Ｗにそれぞれ対応する赤色，緑色，青色，白色放電セル２３０Ｒ，２３０Ｇ，２３０Ｂ，２３０Ｗに関する事項と，正方形の形状を有し，赤色，緑色，青色，白色サブピクセル２７１Ｒ，２７１Ｇ，２７１Ｂ，２７１Ｗを含むピクセルに関する事項は前述した実施形態と同一であるので，ここでは省略する。特に，白色サブピクセル２７１Ｗの場合，白色放電セル２３０Ｗに黄色蛍光体２２６ＷＹと青色蛍光体２２６ＷＢが配置され，これに関する事項も前述した第１実施形態と対応する構成要素と構造及び作用が同一であるので，ここでは省略する。
【００６５】
また，赤色，緑色，青色，白色発光蛍光体層２２６Ｒ，２２６Ｇ，２２６Ｂ，２２６Ｗに関する事項と，白色放電セル２３０Ｗで白色光が生成されるメカニズムは，前述した第１実施形態と同一であるので，ここでは省略する。
【００６６】
上述したように構成された本発明の第２実施形態によるプラズマパネル２００の動作を説明すれば次のようである。
【００６７】
第１放電電極２１３と第２放電電極２１４との間にアドレス電圧が印加されることによりアドレス放電が起こり，このアドレス放電の結果として維持放電が起る放電セル２３０が選択される。その後，上記選択された放電セル２３０の第１放電電極２１３と第２放電電極２１４との間に放電維持電圧が印加されれば，第１放電電極２１３と第２放電電極２１４に積もっていた壁電荷の移動で維持放電を引き起こし，この維持放電時に励起された放電ガスのエネルギー準位が低くなりながら紫外線が放出される。そして，この紫外線が放電セル２３０内に塗布された蛍光体層２２６を励起させ，この励起された蛍光体層２２６のエネルギー準位が低くなりながら可視光が放出され，この可視光が第１基板２１０を通過して視聴者が認識することができる画像を形成することになる。
【００６８】
以上説明したように，本実施形態によれば，単位ピクセルが白色光を生成する放電セルを別に備えるため，放電ガス内のＸｅの割合増加なしに輝度及び発光効率が増加することができる。
【００６９】
また，放電セルから発光された可視光線が第１基板を通過することになるが，可視光が通過する第１基板の放電セル部分には電極が存在しないので，開口率を画期的に向上させることができ，透過率が向上する。また，放電電極として抵抗の大きい透明電極を使う必要がなく，抵抗の低い電極，例えば金属電極を放電電極として使うことができるので，放電応答速度が速くなり，波形の歪みなしに低電圧駆動が可能になる。
【００７０】
また，放電が放電セルを形成する側面で発生して放電セルの中央部に拡散するので，放電領域が従来に比べて著しく向上し，放電セル全体を効率的に用いることができる。したがって，低い電圧でも駆動が可能になり，発光効率を画期的に向上させることができる。
【００７１】
また，放電空間の側面に形成された第１，２放電電極に印加された電圧による電界がプラズマを放電空間の中央部に集中させて集めるようにするので，長期間の放電があっても，放電によって生成されたイオンが電界によって蛍光体に衝突することを防止することにより，イオンスパッタリング（ｉｏｎ  ｓｐｕｔｔｅｒｉｎｇ）による蛍光体損傷に起因して発生する永久残像の問題点を基本的に防止することができる。
【００７２】
以上，添付図面を参照しながら本発明の好適な実施形態について説明したが，本発明はかかる例に限定されない。当業者であれば，特許請求の範囲に記載された技術的思想の範疇内において，各種の変更例または修正例に想到し得ることは明らかであり，それらについても当然に本発明の技術的範囲に属するものと了解される。
【産業上の利用可能性】
【００７３】
本発明のプラズマディスプレイパネルを利用すると、輝度及び発光効率が向上されたプラズマディスプレイパネルの製造が可能になる。
【図面の簡単な説明】
【００７４】
【図１】従来の一般的なプラズマディスプレイパネルを分解して説明する斜視図である。
【図２】本発明の第１実施形態にかかるプラズマディスプレイパネルを分解して説明する斜視図である。
【図３】同実施形態にかかる放電セル及び電極の配置図である。
【図４】同実施形態にかかるサブピクセル及びピクセルの配置図である。
【図５】白色サブピクセルで白色光が生成されるメカニズムを概略的に示す図である。
【図６】白色サブピクセルで生成された可視光のスペクトラムを測定したグラフである。
【図７】本発明の第２実施形態にかかるプラズマディスプレイパネルを分解して説明する斜視図である。
【図８】同実施形態にかかる放電セル及び電極の配置図である。
【図９】同実施形態にかかるサブピクセル及びピクセルの配置図である。
【符号の説明】
【００７５】
１００，２００    プラズマディスプレイパネル
１１０，２１０    第１基板
１１３，２１３    第１放電電極
１１４，２１４    第２放電電極
１１８，２１８    第１隔壁
１２０，２２０    第２基板
１２２，２２２    アドレス電極
１２５    誘電体層
１２６，２２６    蛍光体層
１２８，２２８    第２隔壁
１３０，２３０    放電セル
１７０    ピクセル
１７１    サブピクセル
【図１】
2006196440.tif 000003
【図２】
2006196440.tif 000004
【図３】
2006196440.tif 000005
【図４】
2006196440.tif 000006
【図５】
2006196440.tif 000007
【図６】
2006196440.tif 000008
【図７】
2006196440.tif 000009
【図８】
2006196440.tif 000010
【図９】
2006196440.tif 000011